(57)【要約】【課題】  車両のリアガラスのように設置場所が湾曲面である部分にも簡単に取り付けることができ、設置場所に損傷を与えることがないＬＥＤ表示パネルおよび車載用ＬＥＤ表示パネル装置を提供する。【解決手段】  ＬＥＤ表示パネル２は、可撓性を有する第１透明基板１１と、第１透明基板１１上にマトリクス状に配列された複数のＬＥＤ素子１２と、複数のＬＥＤ素子１２を間に挟み前記第１透明基板１１と対向して設けられた可撓性を有する第２透明基板１３と、各透明基板１１、１３との間に設けられた複数のスペーサ１４とを備えている。【選択図】  図４
2017224675.tif 000002
【特許請求の範囲】
【請求項１】
可撓性を有する第１透明基板と、
前記透明基板上にマトリクス状に配列された複数のＬＥＤ素子と、
前記複数のＬＥＤ素子を間に挟み前記第１透明基板と対向して設けられた可撓性を有する第２透明基板と、
前記各透明基板との間に設けられた複数のスペーサと、
を有し、
前記各透明基板は前記各スペーサを介して接合されているＬＥＤ表示パネル。
【請求項２】
前記複数のＬＥＤ素子は前記第１透明基板の長手方向に並列に配置された複数の表示モジュールに区分けされている請求項１に記載のＬＥＤ表示パネル。
【請求項３】
前記各スペーサは前記第２透明基板と一体に成形され、前記各スペーサの先端は接着剤により前記第１透明基板に接合されている請求項１または２に記載のＬＥＤ表示パネル。
【請求項４】
前記各スペーサは、前記複数のＬＥＤ素子間において、前記各透明基板の長手方向に延設されたリブ形状である請求項１〜３に記載のＬＥＤ表示パネル。
【請求項５】
前記第２透明基板の外表面がパネル貼り付け面となる請求項１〜４のいずれかに記載のＬＥＤ表示パネル。
【請求項６】
前記第２透明基板の外表面にパネル取り付け用の磁気吸着部材または被磁気吸着部材が取り付けられている請求項１〜４のいずれかに記載のＬＥＤ表示パネル。
【請求項７】
車両のリアガラスの内側に取り付けられる請求項１〜請求項６のいずれかに記載のＬＥＤ表示パネルと、
前記ＬＥＤ表示パネルを駆動する駆動部と、
前記駆動部の駆動源となる電源部と、
前記ＬＥＤ表示パネルに表示される文字データを予め記憶し、記憶された文字データから選択された文字データに応じて前記駆動部に駆動信号を送る制御部と、
前記ＬＥＤ表示パネルに表示される文字データを選択して送信する送信部を備えたリモートコントロール部と、
前記リモートコントロール部にて選択された文字データの信号を受信し、前記制御部に文字データの選択信号を送信する受信部と、
を有する車載用ＬＥＤ表示装置。
【請求項８】
前記制御部は所定時間後に前記駆動部に非駆動信号を送りＬＥＤ素子の駆動を自動的に停止させる請求項７に記載の車載用ＬＥＤ表示装置。
【請求項９】
前記駆動部の電源部はシガーライタソケット部から供給される請求項７または８に記載の車載用ＬＥＤ表示装置。
【発明の詳細な説明】
【技術分野】
【０００１】
本発明は、複数のＬＥＤ素子（発光ダイオード素子）が基板上にマトリックス状に配列されＬＥＤ素子の点滅制御により文字や図形等を表示するＬＥＤ表示パネルおよび車載用ＬＥＤ表示装置に関する。
【背景技術】
【０００２】
従来から、ＬＥＤ素子を使用して文字等を表示するＬＥＤ表示パネルが広く知られている。
このＬＥＤ表示パネルを設置する場合は、複数のＬＥＤ素子がマトリックス状に配列された基板に枠体を取り付け、この枠体をネジ等により、所定の設置場所に取り付ける方法が一般的である。
【発明の概要】
【発明が解決しようとする課題】
【０００３】
ところで、従来のＬＥＤ表示パネルの取り付け構造では、ネジ等の取り付け手段を用いて、設置場所にＬＥＤ表示パネルを取り付けるために、設置場所にネジ等の取り付け穴が形成され、設置場所を損傷させることになる。
また、ＬＥＤ表示パネルの設置が不要になり、その設置場所からＬＥＤ表示パネルを取り外す場合、その設置場所にネジ等の取り付け穴が残り、設置場所の外観を損傷させることになる。
【０００４】
特に、ＬＥＤ表示パネルに表示される文字を後方の車両に知らせるためにＬＥＤ表示パネルを車内の後方部分にある棚に設置する場合、その設置場所は上方にリアガラスがあるために、その設置スペースが制限され、ＬＥＤ表示パネルの取り付けが煩雑となる。また、上記棚にネジ等の取り付け穴を形成することになり、車両の美観を損なう恐れがある。
【０００５】
さらに、近年、自家用車においては、車内の後方に棚のないハッチバックスタイルの車両も多く、車内にＬＥＤ表示パネルを設置することが難しかった。
【０００６】
本発明は上述した従来の課題に鑑みてなされたものであり、車両のリアガラスのように設置場所が湾曲面である部分にも簡単に取り付けることができ、設置場所に損傷を与えることがないＬＥＤ表示パネルおよび車載用ＬＥＤ表示パネル装置を提供することを目的とする。
【課題を解決するための手段】
【０００７】
上述した従来の課題を解決し、上述した目的を達成するため、本発明のＬＥＤ表示パンルは、可撓性を有する第１透明基板と、前記透明基板上にマトリクス状に配列された複数のＬＥＤ素子と、前記複数のＬＥＤ素子を間に挟み前記第１透明基板と対向して設けられた可撓性を有する第２透明基板と、前記各透明基板との間に設けられた複数のスペーサとを有し、前記各透明基板は前記スペーサを介して接合されていることを特徴とする。
【０００８】
この構成によれば、複数のＬＥＤ素子は第１透明基板上に配列されているので、一般の基板と比較して、ＬＥＤ表示パネルに表示される文字を明るく表示することができる。また、第２透明基板も透明な樹脂により形成されているので、ＬＥＤ表示パネルをリアガラスに貼り付けた状態でもＬＥＤ表示パネルに表示される文字を後方車両から確実に確認することができる。
また、ＬＥＤ表示パネルは可撓性を有する２枚の透明基板を貼り合わせるとともに、各透明基板間にスペーサを設けた構成である。したがって、ＬＥＤ表示パネルが貼り付けられる面が湾曲した面であったとき、ＬＥＤ表示パネルを貼り付けられる面の湾曲形状に合わせ湾曲させても、ＬＥＤ表示パネルの貼り付け面が波を打つように凹凸が生じることはなく、貼り付けられる面に隙間なく確実に貼り付けることができる。
また、各ＬＥＤ素子は各透明基板間の空間部分に配置されるので、ＬＥＤ素子の放熱効果も得ることができる。
【０００９】
好適には、本発明は、前記ＬＥＤ表示パネルにおいて、前記複数のＬＥＤ素子は前記第１透明基板の長手方向に並列に配置された複数の表示モジュールに区分けされていることを特徴とする。
この構成によれば、表示モジュール毎に１個ずつ文字を表示することができ、ＬＥＤ表示パネルの配線が簡単なものとなる。
【００１０】
好適には、本発明は、前記ＬＥＤ表示パネルにおいて、前記各スペーサは前記第２透明基板と一体に成形され、前記各スペーサの先端は接着剤により前記第１透明基板に接合されていることを特徴とする。
この構成によれば、各スペーサを第１透明基板上の所定位置に簡単かつ確実に取り付けることができる。
【００１１】
好適には、本発明は、前記ＬＥＤ表示パネルにおいて、前記各スペーサは、前記複数のＬＥＤ素子間において、前記各透明基板の長手方向に延設されたリブ形状であることを特徴とする。
この構成によれば、各透明基板間にリブ形状のスペーサを設けることにより、ＬＥＤ表示パネルの強度は保たれている。
【００１２】
好適には、本発明は、前記ＬＥＤ表示パネルにおいて、前記第２透明基板の外表面がパネル貼り付け面となることを特徴とする。
この構成によれば、ＬＥＤ素子が配置されている第１透明基板には損傷を与えることはなく、ＬＥＤ素子の配置にズレが生じることはない。
【００１３】
好適には、本発明は、前記ＬＥＤ表示パネルにおいて、前記第２透明基板の外表面にパネル取り付け用の磁気吸着部材または被磁気吸着部材が取り付けられていることを特徴とする。
この構成によれば、ＬＥＤ素子が配置されている第１透明基板に負荷を与えることなく、パネルを簡単に着脱自在に取り付け、または取り外すことができる。
【００１４】
本発明の車両用ＬＥＤ表示装置は、前記ＬＥＤ表示パネルと、前記ＬＥＤ表示パネルを駆動する駆動部と、前記駆動部の駆動源となる電源部と、前記ＬＥＤ表示パネルに表示される文字データを予め記憶し、記憶された文字データから選択された文字データに応じて前記駆動部に駆動信号を送る制御部と、前記ＬＥＤ表示パネルに表示される文字データを選択して送信する送信部を備えたリモートコントロール部と、前記リモートコントロール部にて選択された文字データの信号を受信し、前記制御部に文字データの選択信号を送信する受信部を有することを特徴とする。
【００１５】
この構成によれば、ＬＥＤ表示パネルを車内のリアガラスに貼り付け、後方の車両に各種文字によりサインを送ることができ、運転の安全性を考慮したものとなる。
【００１６】
好適には、本発明は、前記車両用ＬＥＤ表示装置において、前記制御部は所定時間後に前記駆動部に非駆動信号を送りＬＥＤ素子の駆動を自動的に停止させることを特徴とする。
この構成によれば、ＬＥＤ表示パネルへの文字の表示が必要なタイミングのみＬＥＤ表示パネルを駆動することができ、節電に寄与することができる。
【００１７】
好適には、本発明は、前記車両用ＬＥＤ表示装置において、前記駆動部の電源部はシガーライタソケット部から供給されることを特徴とする。
この構成によれば、専用のバッテリーを備えなくてもよく、車載用ＬＥＤ表示装置を車両に簡単に搭載することができる。
【発明の効果】
【００１８】
本発明によれば、車両のリアガラスのように設置場所が湾曲面である部分にも簡単に取り付けることができ、設置場所に損傷を与えることがないＬＥＤ表示パネルおよび車載用ＬＥＤ表示パネル装置を提供することができる。
【図面の簡単な説明】
【００１９】
【図１】本発明の実施形態に係る車両用ＬＥＤ表示装置の概略を示すブロック図である。
【図２】車載用ＬＥＤ表示装置のリモコンを示す平面図である。
【図３】ＬＥＤ表示パネルの表示モジュールの要部拡大平面図である。
【図４】図３のＡ−Ａ線断面図である。
【図５】図４におけるＬＥＤ素子の取り付け部分の拡大断面図である。
【図６】ＬＥＤ表示パネルを車両のリアガラスの内側に取り付けた状態を示す図である。
【図７】ＬＥＤ表示パネルの変形例を示す拡大斜視図であり、パネルを車外側から見た図である。
【図８】図７のＬＥＤ表示パネルが取り付けられる車両のリアガラスの斜視図であり、リアガラスを車内側から見た図である。
【図９】図７のＬＥＤ表示パネルと車両のリアガラスの内側との取り付け部分の拡大断面図である。
【発明を実施するための形態】
【００２０】
以下、本発明の実施形態に係る車載用ＬＥＤ表示パネル装置について、詳細に説明する。図１は、本発明の実施形態に係る車両用ＬＥＤ表示装置の概略を示すブロック図である。図２は、車載用ＬＥＤ表示装置のリモートコントローラ部の概略を示すブロック図である。図３は、第１表示モジュールのＬＥＤ表示パネルの要部拡大平面図であり、ＬＥＤ素子の配線構造を示す図である。図４は、図３のＡ−Ａ線断面図である。図５は、図４におけるＬＥＤ素子の取り付け部分の拡大断面図である。図６は、ＬＥＤ表示パネルを車両のリアガラスの内側に取り付けた状態を示す正面図であり、車両の後方より見たＬＥＤ表示パネルの取り付け状態を示す図である。
【００２１】
（車載用ＬＥＤ表示装置）
図１および２に示すように、車載用ＬＥＤ表示パネル装置１は、ＬＥＤ表示パネル２と、ＬＥＤ表示パネル２を駆動する駆動部３と、駆動部３の駆動源となる電源部４と、ＬＥＤ表示パネル２に表示される文字データを予め記憶し、記憶された文字データから選択された文字データに応じて駆動部３に駆動信号を送る制御部５と、ＬＥＤ表示パネル２に表示される文字データを選択して送信する送信部６を備えたリモートコントロール部７と、リモートコントロール部７にて選択された文字データの信号を受信し、制御部５に文字データの選択信号を送信する受信部８を有している。
【００２２】
電源部４は車内に備えられている図示しないシガーライタソケット部に差し込まれ、車載用ＬＥＤ表示装置１はＤＣ１２Ｖによって駆動される。したがって、専用のバッテリーを備えなくてもよく、車載用ＬＥＤ表示装置１を車両に簡単に搭載することができる。
【００２３】
制御部５には、予めＬＥＤ表示パネル２に表示する複数の文字のデータがパソコン等の入力手段を用いて入力されている。本実施形態においては、５種類の文字データが事前に入力されている。第１文字データは「ありがとう」であり、第２文字データは「サンキュー」であり、第３文字データは「お先にどうぞ」であり、第４文字データは「バックします」であり、第５文字データは「前方混雑」である。
【００２４】
また、図２に示すように、ＬＥＤ表示パネル２に表示される文字を選択して受信部８に送信する遠隔操作器であるリモートコントローラ部（以下、リモコンという）７の送信部６は、ケース７Ａに組み込まれている。ケース７Ａには送信部６から送信される文字データの種類を選択するスイッチ９と、送信部６の駆動源となる電池１０が収納されている。
【００２５】
スイッチ９は、第１スイッチ部９Ａ、第２スイッチ部９Ｂ、第３スイッチ部９Ｃ、第４スイッチ部９Ｄおよび第５スイッチ部９Ｅから構成されている。第１スイッチ部９Ａは第１文字データである「ありがとう」を選択するスイッチ部であり、第２スイッチ部９Ｂは第２文字データである「サンキュー」を選択するスイッチ部であり、第３スイッチ部９Ｃは第３文字データである「お先にどうぞ」を選択するスイッチであり、第４スイッチ部９Ｄは第４文字データである「バックします」を選択するスイッチ部であり、第５スイッチ部９Ｅは第５文字データである「前方混雑」を選択するスイッチ部である。
【００２６】
例えば、第１スイッチ部９Ａを選択すると、第１文字データである「ありがとう」の文字データの信号が送信部６から受信部８に送信される。第１文字データの信号を受信部８で受信すると、制御部５は予め記憶されている文字データの中から第１文字データを選択して、駆動部５に選択信号を送る。そして、駆動部５は第１文字データに対応してＬＥＤ表示パネル２を駆動し、図６に示すように、ＬＥＤ表示パネル２には「ありがとう」の文字が表示される。なお、制御部５は文字データを選択する信号を受信したあと、５秒後に駆動部５への駆動信号を自動的に停止する構成となっている。したがって、第１スイッチ部９Ａを押して、ＬＥＤ表示パネル２に「ありがとう」の文字が表示されると、５秒後にその文字の表示が消える構成となっており、ＬＥＤ表示パネル２への文字の表示が必要なタイミングのみＬＥＤ表示パネル２を駆動することができ、節電に寄与している。
【００２７】
なお、第２文字データ、第３文字データ、第４文字データおよび第５文字データも上述した第１文字データの場合と同じように、制御部５にて予め記憶された文字データの中から選択され、各文字データに対応した文字がＬＥＤ表示パネル２に表示される。
【００２８】
（ＬＥＤ表示パネル）
図３〜５に示すように、ＬＥＤ表示パネル２は、可撓性を有する第１透明基板１１と、第１透明基板１１上にマトリクス状に配列された複数のＬＥＤ素子１２と、複数のＬＥＤ素子１２を間に挟み前記第１透明基板１１と対向して設けられた可撓性を有する第２透明基板１３と、各透明基板１１、１３との間に設けられた複数のスペーサ１４とを備えている。
【００２９】
第１透明基板１１は、樹脂によりにより形成されている。
図１に示すように、第１透明基板１１上には複数のＬＥＤ素子１２がマトリクス状に配列された６個の表示モジュール２Ａ、２Ｂ、２Ｃ、２Ｄ、２Ｅ、２Ｆが配置されている。
【００３０】
第１表示モジュール２Ａ、第２表示モジュール２Ｂ、第３表示モジュール２Ｃ、第４表示モジュール２Ｄ、第５表示モジュール２Ｅ、および第６表示モジュール６Ｆは第１透明基板１１の長手方向（図１中横方向）に並列に配置されている。
【００３１】
各表示モジュール１２Ａ、１２Ｂ、１２Ｃ、１２Ｄ、１２E、１２Ｆは１６×１６ドット単色（緑色）で構成されており、１文字サイズは９６×９６ｍｍとなっている。したがって、ＬＥＤ表示パネル２には長手方向に６個の文字が表示される構成となっている。
【００３２】
例えば、ＬＥＤ表示パネル２に第１文字データである「ありがとう」を表示する場合、第１表示モジュール９Ａには文字「あ」が表示され、第２表示モジュール９Ｂには文字「り」が表示され、第３表示モジュール９Ｃには文字「が」が表示され、そして第４表示モジュール９Ｄには文字「と」が表示され、第５表示モジュール９Ｅには文字「う」が表示される。
【００３３】
なお、第２文字データの「サンキュー」、第３文字データの「お先にどうぞ」、第４文字データの「バックします」、そして第５文字データの「前方混雑」も、上述した第１文字データの「ありがとう」と同じようにＬＥＤ表示パネル２に表示される。
【００３４】
図３に示すように、第１透明基板１１上には、第１表示モジュール９Ａを構成する複数のＬＥＤ素子１２を接続する複数のプラス極配線１５がＬＥＤ表示パネル２の短手方向（図１中縦方向）に平行に配置されている。また、第１透明基板１１上には、各ＬＥＤ素子１２を接続する複数のマイナス極配線１６がＬＥＤ表示パネル２の長手方向（図１中横方向）に平行に配置されている。
【００３５】
各プラス極配線１５において、各マイナス極配線１６が交差する部分はゼロオーム抵抗（ジャンパーチップ）１７を介して接続されている。
第２表示モジュール９Ｂ、第３表示モジュール９Ｃ、第４モジュール９Ｄ、第５モジュール９Ｅ、そして第６表示モジュール９Ｆも上述した第１表示モジュール９Ａと同様に、プラス極配線１５およびマイナス極配線１６が施されている。
【００３６】
各ＬＥＤ素子１２を間に挟み第１透明基板１１と対向するように設けられた第２透明基板１３は、樹脂により形成されている。第２透明基板１３の第１透明基板１１の対向面には、各プラス配線１５の間に配置するようにリブ形状のスペーサ１４が第２透明基板１３の長手方向に延設されている。各スペーサ１４は第２透明基板１３と一体成形されている。
各スペーサ１８は、各表示モジュール９Ａ、９Ｂ、９Ｃ、９Ｄ、９Ｅ、９Ｆに跨り、ＬＥＤ表示パネル２の長手方向の全長に亘って配置されている。
【００３７】
なお、本発明は各スペーサ１４が第２透明基板１３と別体に形成されていたものであってもよい。
【００３８】
各スペーサ１４の先端は第１透明基板１１に突き当てられ、第１透明基板１１に接着剤２０により接合されている。各スペーサ１４において、マイナス極配線１６に重なる部分は、先端がマイナス極配線１６に重ねられマイナス極配線１６を第１透明基板１１に押し付ける構成となっている。
【００３９】
第２透明基板１３の外表面１３ＡはＬＥＤ表示パネル２の貼り付け面となっており、図６に示すように、ＬＥＤ表示パネル２は車両のリアガラス３０の内側に貼り付けられる。
【００４０】
このように、本実施形態に係る車載用ＬＥＤ表示パネル１によれば、車両のリアガラス３０の内側にＬＥＤ表示パネル１を貼り付けることができ、ＬＥＤ表示パネル２に表示される文字によって、後方の車両に対して、安全運転を促すサインを送ることができる。
【００４１】
ＬＥＤ表示パネル２は、第２透明基板１３の外表面１３Ａを接着剤によりリアガラス３０の内側に貼り付けられるので、ＬＥＤ素子１２が配置されている第１透明基板１１には損傷を与えることはなく、ＬＥＤ素子１２の配置にズレが生じることはない。
【００４２】
本実施形態において、複数のＬＥＤ素子１２は第１透明基板１１上に配列されているので、一般的なプリント基板と比較して、ＬＥＤ表示パネル２に表示される文字を明るく表示することができる。また、第２透明基板１３も透明な樹脂により形成されているので、ＬＥＤ表示パネル２をリアガラス３０に貼り付けた状態でもＬＥＤ表示パネル２に表示される文字を後方車両から確実に確認することができる。
【００４３】
また、ＬＥＤ表示パネル２は可撓性を有する２枚の透明基板１１、１３を対向させるとともに、各透明基板１１、１３間に設けたスペーサ１４を介して重ね合わせた構成である。
したがって、ＬＥＤ表示パネル２が貼り付けられる面が例えばリアガラス３０の内側のように湾曲した面であったとき、ＬＥＤ表示パネル２をリアガラス３０の内側の湾曲形状に合わせ湾曲させても、ＬＥＤ表示パネル２の貼り付け面が波を打つように凹凸が生じることはなく、リアガラス３０の内側に隙間なく確実に貼り付けることができる。
【００４４】
また、各透明基板１１、１３間にリブ形状のスペーサ１４を設けることにより、ＬＥＤ表示パネル２の強度は保たれている。
【００４５】
また、各ＬＥＤ素子１２は各透明基板１１、１３間の空間部分に配置されるので、ＬＥＤ素子１２の放熱効果も得ることができる。
【００４６】
また、各ＬＥＤ素子１２はスペーサ１４によって各透明基板１１、１３の間に配置される構成となり、各ＬＥＤ素子１２に負荷が与えられるようなことはない。
【００４７】
また、ＬＥＤ素子１２が第１透明基板１１上で浮き上がるようなことがあっても、そのＬＥＤ素子１２を各透明基板１１、１３間で保持することができるので、そのＬＥＤ素子１２が第１透明基板１１から外れ、脱落することを防ぐことができる。
【００４８】
なお、本実施形態にいては、リブ形状のスペーサ１４を第２透明基板１３の長手方向に延設したものであるが、本発明は各ＬＥＤ素子１２をそれぞれ囲むような格子形状のスペーサであっても良い。
【００４９】
このように本実施形態に係るＬＥＤ表示パネル２によれば、ＬＥＤ表示パネル１が貼り付けられる面が湾曲している車両のリアガラス３０の内側３１にも簡単かつ確実に取り付けることができる。したがって、車内の後方において設置スペースが制限されているような場所においても、ＬＥＤ表示パネル２を車内の後方側に設置することができる。
【００５０】
また、ＬＥＤ表示パネル２はリアガラス３０の内側３１の湾曲形状に合わせて湾曲させ、第２透明基板１３の外表面１３Ａを接着剤によりリアガラス３０の内側３１に貼り付けることができる。したがって、各種の車両のリアガラスに貼り付けが可能なＬＥＤ表示パネルを提供することができ、また、リアガラス３０の貼り付け場所にも限定されず、リアガラス３０の内側のコーナ部３０Ａ側にも取り付けることができる。
【００５１】
なお、本実施形態のＬＥＤ表示パネル２においては、ＬＥＤ表示パネル２を車内のリアガラス３０の内側３１に貼り付ける場合を例として説明したが、本発明はＬＥＤ表示パネル２の文字をガラス越しに表示する各種装置に適用することができる。
【００５２】
（ＬＥＤ表示パネルの変形例）
図７〜９に示すように、ＬＥＤ表示パネル４０において、第２透明基板４１の外表面４１Ａの上側及び下側にはフレーム４２、４２がそれぞれ全長に亘って設けられている。第２透明基板４１の外表面４１Ａに取り付けられた各枠体４２の表面にはパネル取り付け用の磁気吸着部材である複数の磁石４３が両面接着片４４を介して各フレーム４２、４２の長手方向に等間隔をおいて取り付けられている。なお、各フレーム４２、４２は可撓性を有する材料で形成されており、ＬＥＤ表示パネル４０全体の可撓性は確保されている。
リアガラス３０の内側３１においてＬＥＤ表示パネル４０が取り付けられる部分には、各磁石４３によって吸着される被磁気吸着部材である複数の鉄片４５が両面接着片４６を介して取り付けられている。
【００５３】
なお、リアガラス３０の内側に貼り付けられる両面接着片４６の色が黒色のものを使用すれば、ＬＥＤ表示パネル４０を取り外したとき、リアガラス３０に両面接着片４６が貼られていることがリアガラス３０の後方から分かりづらくなり、リアガラス３０の外観に影響を与えることはない。
【００５４】
この構成によれば、ＬＥＤ表示パネル４０をリアガラス３０の内側３１に取り付けるとき、磁石４３の磁気吸引力を利用して、ＬＥＤ表示パネル４０をリアガラス３０の内側３１に取り付けることができる。また、ＬＥＤ表示パネル４０をリアガラス３０から取外す場合、磁石４３の磁気吸引力に抗する力だけでＬＥＤ表示パネル４０を取り外すことができる。したがって、ＬＥＤ表示パネル４０のリアガラス３０の内側３１への取り付け、または取り外し作業を簡単に行うことができる。また、ＬＥＤ表示パネル４０は磁石４３の磁気吸引力を利用してリアガラス３０の内側３１に取り付けられるので、ＬＥ表示パネル４０をリアガラス３０から取り外すときには第２透明基板４１に負荷を与えることなく簡単に取り外すことができる。
【００５５】
なお、本発明はＬＥＤ表示パネル４０において、フレーム４２、４２の表面にパネル取り付け用の被磁気吸着部材である鉄片４５を取り付けたものであってもよい。この場合、ＬＥＤ表示パネル４０が取り付けられる車両のリアガラス３０の内側３１には磁気吸着部材である磁石４３が取り付けられていることが必要である。
【００５６】
本発明は、ＬＥＤ表示パネル２に表示される情報は文字に限定されず、画像等の各種情報を表示することができる。
【００５７】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００５８】
本発明は、湾曲している取り付け部分に取り付けられるＬＥＤ表示パネルに適用される。
【符号の説明】
【００５９】
１・・・・・車載用ＬＥＤ表示装置
２、４０・・ＬＥＤ表示パネル
３・・・・・駆動部
４・・・・・電源部
５・・・・・制御部
６・・・・・送信部
７・・・・・リモコン
８・・・・・受信部
１１・・・・第１透明基板
１２・・・・ＬＥＤ素子
１３、４１・第２透明基板
１４・・・・スペーサ
３０・・・・リアガラス
４３・・・・磁石
４５・・・・鉄片
【図１】
2017224675.tif 000003
【図２】
2017224675.tif 000004
【図３】
2017224675.tif 000005
【図４】
2017224675.tif 000006
【図５】
2017224675.tif 000007
【図６】
2017224675.tif 000008
【図７】
2017224675.tif 000009
【図８】
2017224675.tif 000010
【図９】
2017224675.tif 000011
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
可撓性を有する第１透明基板と、
前記透明基板上にマトリクス状に配列された複数のＬＥＤ素子と、
前記複数のＬＥＤ素子を間に挟み前記第１透明基板と対向して設けられた可撓性を有する第２透明基板と、
前記各透明基板との間に設けられた複数のスペーサと、
を有し、
前記複数のＬＥＤ素子は前記第１透明基板の長手方向に並列に配置された複数の表示モジュールに区分けされ、
前記各スペーサは、前記複数のＬＥＤ素子間において、前記各透明基板の長手方向に延設されたリブ形状であり、
前記各スペーサは前記第２透明基板と一体に成形され、前記各スペーサの先端は接着剤により前記第１透明基板に接合され、
前記第２透明基板の外表面がパネル貼り付け面となっている、
ＬＥＤ表示パネル。
【請求項２】
前記第２透明基板の外表面にパネル取り付け用の磁気吸着部材または被磁気吸着部材が取り付けられている請求項１に記載のＬＥＤ表示パネル。
【請求項３】
車両のリアガラスの内側に取り付けられる請求項１または請求項２に記載のＬＥＤ表示パネルと、
前記ＬＥＤ表示パネルを駆動する駆動部と、
前記駆動部の駆動源となる電源部と、
前記ＬＥＤ表示パネルに表示される文字データを予め記憶し、記憶された文字データから選択された文字データに応じて前記駆動部に駆動信号を送る制御部と、
前記ＬＥＤ表示パネルに表示される文字データを選択して送信する送信部を備えたリモートコントロール部と、
前記リモートコントロール部にて選択された文字データの信号を受信し、前記制御部に文字データの選択信号を送信する受信部と、
を有する車載用ＬＥＤ表示装置。
【請求項４】
前記制御部は所定時間後に前記駆動部に非駆動信号を送りＬＥＤ素子の駆動を自動的に停止させる請求項３に記載の車載用ＬＥＤ表示装置。
【請求項５】
前記駆動部の電源部はシガーライタソケット部から供給される請求項３または請求項４に記載の車載用ＬＥＤ表示装置。
【手続補正２】
【補正対象書類名】明細書
【補正対象項目名】０００７
【補正方法】変更
【補正の内容】
【０００７】
上述した従来の課題を解決し、上述した目的を達成するため、本発明のＬＥＤ表示パネルは、可撓性を有する第１透明基板と、前記透明基板上にマトリクス状に配列された複数のＬＥＤ素子と、前記複数のＬＥＤ素子を間に挟み前記第１透明基板と対向して設けられた可撓性を有する第２透明基板と、前記各透明基板との間に設けられた複数のスペーサとを有し、前記複数のＬＥＤ素子は前記第１透明基板の長手方向に並列に配置された複数の表示モジュールに区分けされ、前記各スペーサは、前記複数のＬＥＤ素子間において、前記各透明基板の長手方向に延設されたリブ形状であり、前記各スペーサは前記第２透明基板と一体に成形され、前記各スペーサの先端は接着剤により前記第１透明基板に接合され、前記第２透明基板の外表面がパネル貼り付け面となっていることを特徴とする。
この構成によれば、複数のＬＥＤ素子は第１透明基板上に配列されているので、一般の基板と比較して、ＬＥＤ表示パネルに表示される文字を明るく表示することができる。また、第２透明基板も透明な樹脂により形成されているので、ＬＥＤ表示パネルをリアガラスに貼り付けた状態でもＬＥＤ表示パネルに表示される文字を後方車両から確実に確認することができる。
また、ＬＥＤ表示パネルは可撓性を有する２枚の透明基板を貼り合わせるとともに、各透明基板間にスペーサを設けた構成である。したがって、ＬＥＤ表示パネルが貼り付けられる面が湾曲した面であったとき、ＬＥＤ表示パネルを貼り付けられる面の湾曲形状に合わせ湾曲させても、ＬＥＤ表示パネルの貼り付け面が波を打つように凹凸が生じることはなく、貼り付けられる面に隙間なく確実に貼り付けることができる。
また、各ＬＥＤ素子は各透明基板間の空間部分に配置されるので、ＬＥＤ素子の放熱効果も得ることができる。
また、表示モジュール毎に１個ずつ文字を表示することができ、ＬＥＤ表示パネルの配線が簡単なものとなる。
また、各スペーサを第１透明基板上の所定位置に簡単かつ確実に取り付けることができる。
また、各透明基板間にリブ形状のスペーサを設けることにより、ＬＥＤ表示パネルの強度は保たれている。
また、ＬＥＤ素子が配置されている第１透明基板には損傷を与えることはなく、ＬＥＤ素子の配置にズレが生じることはない。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００３７
【補正方法】削除
【補正の内容】